(57)【要約】【課題】外装体の内部にインペラーの回転により耳垢を吸入除去する装置を設置して、耳の中をより安全で清潔に清掃することができとともに、装飾品としても愛用できる装飾品兼用電動耳掻きを提供する。【解決手段】前方に長く突出した吸入部１の先端側を耳穴の中に挿入して減圧を発生させることができる駆動部２００を作動させて耳穴についている耳垢を外方に吸引する装置とする。この装置は、耳垢を収納する耳垢収納箱２が着脱自在の形で内部に設置された耳垢収納部１００と、この下方に連通可能に設置した電源供給装置６と駆動装置７とを擁する駆動部２００とからなり、それらをペンギンのような外観形状に組み立てた組立体し、さらにその組立体を支持部５００上に立設した構造にする。前記駆動装置７は電源供給装置６により回転するモーター４と、そのモーターにより駆動により回転するインペラー５を備えている。さらに前記エンペラー５には偏心運動を生じさせて振動させる。するとエンペラー５の吸引作用と振動作用により耳垢が除去される。【選択図】  図１
2004267224.tif 000002
【特許請求の範囲】
【請求項１】
耳の穴に挿入可能に前方に長く突出した吸入部１と、その吸入部１から吸入された耳垢を収納する耳垢収納箱２と、その耳垢収納箱２が着脱自在の形で内部に設置される耳垢収納部１００と、この耳垢収納部１００の下方にそれと連通するように設置され、電池３に連結したモーター４の駆動によりインペラー５を回転させて耳垢を前記吸入部１に吸入させる電源供給装置６及び駆動装置７と、それら電源供給装置６及び駆動装置７を収納し、外壁に空気排出孔８を有する駆動部２００と、前記モーターを回転させるために前記駆動部２００に外付けされたスイッチ４００とからなる装飾品兼用電動耳掻き。
【請求項２】
前記駆動部２００は、前記電源供給装置６から供給される電気エネルギーにより発光する発光ダイオード９を備えた照明部３００を備えている請求項１記載の装飾品兼用電動耳掻き。
【請求項３】
前記耳垢収納箱２は、その内部にフィルター１１と、これを固定するフィルター固定部１１’が設置されたフィルター部１２とを備えており、さらに前記耳垢収納部１００に対して係止め可能なプッシュプルインターロック機構を備えている請求項１記載の装飾品兼用電動耳掻き。
【請求項４】
前記プッシュプルインターロック機構は、前記耳垢収納箱２の先端部に設けられた係止突部１４と、その係止突部を嵌合係止して前記駆動部２００に施錠・開錠する開閉手段１３とから構成されている請求項３記載の装飾品兼用電動耳掻き。
【請求項５】
前記インペラー５は、その一部分に偏心錘１６を有しており、前記モーター４により回転させられると、振動を誘発して、その振動を前記吸入部１に伝達するようになっている請求項１記載の装飾品兼用電動耳掻き。
【請求項６】
前記駆動部２００は、その前面側に覆い１７が当てがわれた内部空間１８を有している請求項１記載の装飾品兼用電動耳掻き。
【請求項７】
前記内部空間１８は、その上部と下部にそれぞれ一対の収納孔１９、１９’を備えており、それらの収納孔のうち上部の収納孔には、一方の側に前記吸入部１に対する差込部２０をもち、他方の側に前記差込部の外経より小さな外径を備えた耳掻き用差込管２２が挿入可能になっており、同じく下部の収納孔には、電池３が収納可能になっている請求項６記載の装飾品兼用電動耳掻き。
【請求項８】
前記吸入部１、耳垢収納部１００並び駆動部２００及びその駆動部の前面側の覆い１７との組立体がペンギン状の外観をしているとともに、前記組立体が支持部５００に立設されている請求項１記載の装飾品兼用電動耳掻き。
【発明の詳細な説明】
【０００１】
【発明の属する技術分野】
本発明は装飾品兼用電動耳掻きに関するものであり、さらに詳しく述べれば、動物の形をした外装体の内部にインペラーの回転により耳垢を吸入除去する装置を設置して、耳の中をより安全で清潔に清掃できるようにするとともに、装飾品としても愛用できるようにした構造の装飾品兼用電動耳掻きに関するものである。
【０００２】
【従来の技術】
一般的に、耳の中の耳垢を除去するのに使われる耳掻きは、細くて長い捧の一端をしゃもじの形にして、その一端部で耳の中を掻くようにした棒状の単純な構造のものや、取っ手内にインペラーを駆動させてその吸入力で耳の中の耳垢を除去する電動式耳掻き等がある。
【０００３】
【発明が解決しようとする課題】
しかし、上記棒状構造のものは硬い金属製やプラスチック又は木材などを材料に作られたものであるため、耳の中を無理に掻いたり、他人が掻く人の腕に接触した場合には、鼓膜にひどい損傷を与えたりするので、常に用心してそれらを使用しなければならないという不便さが伴う。また、前記電動式耳掻きは大部分が小型に作られたものであり、構造的な脆弱性ゆえに吸引力に限界が生じ、十分な耳掻き効果を期待することはできないという問題がある。
【０００４】
加えて、上記のような単純な棒状のものや電動式耳掻きは、その大きさが小型であるために紛失する場合が多く、使用したいときに適切に対応できなかったり再購入しなければならなかったりするという費用上の問題点を引き起こす弊害があった。
【０００５】
本発明は上記のような問題点を解決しようとしたものであり、従って、本発明の課題は、装飾品としても愛用することができるように動物の形などになった組立体の内部に、インペラーの回転により耳垢を吸入して除去することができるようにした装置を内部に設置して、耳の中の耳垢をより安全で清潔に清掃できる構造の装飾品兼用電動耳掻きを提供することにある。
【０００６】
【課題を解決するための手段】
本請求項１発明は前記の課題を解決するために、耳の穴に挿入可能に前方に長く突出した吸入部と、その吸入部から吸入された耳垢を収納する耳垢収納箱と、その耳垢収納箱が着脱自在の形で内部に設置される耳垢収納部と、この耳垢収納部の下方にそれと連通するように設置され、電池に連結したモーターの駆動によりインペラーを回転させて耳垢を前記吸入部に吸入させる電源供給装置及び駆動装置と、それら電源供給装置及び駆動装置を収納し、外壁に空気排出孔を有する駆動部と、前記モーターを回転させるために前記駆動部に外付けされたスイッチとからなる構造の装飾品兼用電動耳掻きとする。
【０００７】
そして前記駆動部に対して、前記電源供給装置から供給される電気エネルギーにより発光する発光ダイオードを備えた照明部を設け、本請求項１発明に係る装飾品兼用電動耳掻きを使用する前又は使用した後に、前記照明部により耳の穴に付着している耳垢の状態を観察したり、場合よっては耳の中に入った虫を外に誘導したりできるようにしている（請求項２発明）。
【０００８】
また、耳掻きするとき前記吸入部により吸い取られた耳垢を所定の箇所に集めて廃棄できるようにするために、前記耳垢収納箱の内部にはフィルターと、そのフィルターを固定するフィルター固定部が設置されたフィルター部とを設けており、さらに前記耳垢収納箱にはそれを耳垢収納部に対して係止めするためにプッシュプルインターロック機構が設けられている（請求項３発明）。
【０００９】
なお、前記プッシュプルインターロック機構は前記耳垢収納箱を耳垢収納部の内方に向かって１度挿入すると、耳垢収納箱が係止され、続いてもう１度挿入すると、耳垢収納箱を耳垢収納部から引き出し可能となる機構を意味する。具体的には、前記プッシュプルインターロック機構は、前記耳垢収納箱の先端部に設けられた係止突部と、その係止突部を嵌合係止して前記駆動部に施錠・開錠する開閉手段とから構成されている（請求項４発明）。
【００１０】
また、前記インペラーには偏心錘を取り付けて、前記モーターによりインペラーを回転させると振動を誘発して、その振動を前記吸入部に伝達することにより、耳掻き使用時に耳の穴に付着した耳垢を落とせるようになっている（請求項５発明）。
【００１１】
さらに前記駆動部の前面側には覆いを被せられた内部空間を設けて、その内部空間に本発明に係る耳掻きを使用するとき必要な部品、すなわち、耳掻き用差込管と電池が収納可能になっている。具体的に前記内部空間の上部と下部にそれぞれ一対の横方向きの収納孔を穿設し、上部に収納孔には耳掻き用差込管が、そして下部の収納孔には電池が挿入可能になっている。なお、前記耳掻き用差込管は、一端側が前記吸入部に外挿可能になっており、他端側が前記差込部の外経より小さな外径を備えて耳の穴に挿入可能になっている（請求項６発明及び請求項７発明）。
【００１２】
本発明に係る耳掻きは装飾品を兼ねているので、前記吸入部、耳垢収納部並び駆動部及びその駆動部の前面側の覆いとからなる組立体を動物、特に吸入部の形状を嘴とするペンギンのようにデザインして、特定の支持部に立設させる（請求項８発明）。
【００１３】
【発明の実施の形態】
以下、図面を参照しながら、本発明の好ましい実施形態について詳述すると、図１は、本発明に係る装飾品兼用電動耳掻きとしての組立体をペンギンの外観に分解して示した分解斜視図であり、図２は、前記組立体の縦断面図である。
【００１４】
前記耳掻きは、耳の穴に挿入可能なように前方に長く突出した吸入部１を擁する耳垢収納部１００と、その耳垢収納部１００を駆動させる駆動部２００と、その駆動部の前面側に耳掻き時に使用する部品（後述）が収納される内部空間１８を被覆する覆い１７とから組み立てられる１個の組立体からなり、その組立体は１個の支持部５００に立脚されている。
【００１５】
前記耳垢収納部１００には前記吸入部１を通じて吸入された耳垢を収納する耳垢収納箱２が挿脱自在に設置されている。前記耳垢収納箱２の下方において前記駆動部２００には、電池３と、その電池３により駆動するモーター４と、そのモーター４により回転するインペラー５とからなる電源供給装置６及び駆動装置７とが前記耳垢収納部１００と連通可能に設置されており、前記インペラー５を回転させると、吸引力が発生して耳の穴に先端部が挿入された吸入部１から耳垢が吸引されようになっているとともに、前記駆動部２００の背面側には前記インペラー５の排気が排出可能な空気排出孔８が形成されている。
【００１６】
前記駆動部２００の背面側において前記空気排出孔８の下方には前記電源供給装置６に通電した発光ダイオード９等の発光源を有する照明部３００が設けられており、耳の穴を観察したり、耳に虫が侵入した場合それを外に誘導したりできるようになっている。
【００１７】
さらに前記駆動部２００の両側には一対のスイッチ部４００がペンギンの羽のように装着されており、図５に示すように、タクトスイッチ２３を介して前記モーター４と発光ダイオード９に電源を供給したり停止したりできるようになっている。
【００１８】
前記耳垢収納箱２は、図４にしめすように、その先端部寄りにフィルター１１とそれを固定するフィルター固定体１１’とからなるフィルター部１２を備えており、網紗チェーンからな前記フィルター１１に前記吸引部１内を通ってきた耳垢が溜まるようになっている。また前記耳垢収納箱２の先端面には耳垢収納箱２を耳垢収納部１００に対して係止めするためにプッシュプルインターロック機構が設けられており、耳垢収納箱２を耳垢収納部１００の内方に向かって１度挿入すると、耳垢収納箱２が係止され、続いてもう１度挿入すると、耳垢収納箱２を耳垢収納部１００から引き出し可能となっている。このプッシュプルインターロック機構は、耳垢収納箱２の先端部に設けられた係止突部１４と、その係止突部１４を嵌合係止して前記駆動部２００に施錠・開錠する開閉手段１３とから構成されている。
【００１９】
前記インペラー５の基台１５には、図３に示すように、偏心錘１６が取り付けられており、前記モーター４を回転させるとインペラー５は若干偏心運動を起こし、その結果、駆動部２００、ひいては本発明に係る耳掻き自体が振動させて、その振動により耳掻き使用時に耳の穴に付着した耳垢を落とせるようになっている。
【００２０】
再び、図１に戻って説明すると、前記内部空間１８においてその上下の部位にはそれぞれ一対の横穴状の収納孔１９、１９’が穿設されており、上部の収納孔１９には本発明に係る耳掻きを使用するとき予備として必要な部品又は必須の部品、すなわち耳掻き用差込管２２と電池３が収納されている。なお、前記耳掻き用差込管２２は、一端側（基端部）が前記吸入部１に外挿可能になっており、他端側（先端部）が前記差込部１の外経より小さな外径を備えて耳の穴に挿入可能になっている。また、前記において説明しなかった符号２３で示す部品はスイッチ部４００の押さえ板であり、同じく符号２４で示す部位は耳垢収納部１００に対する吸入路を意味する。
【００２１】
上記のように構成される本発明に係る耳掻きの作用・効果について次に説明する。まず、ペンギンの形をした耳掻きの駆動部２００をつかみ、前方に長く突出したクチバシ形の吸入部１を耳の中に挿入密着させた状態で、指を利用してペンギンの腕乃至羽に当たる一方の側のスイッチ部４００を軽く時計の針が回転する向き又はその反対の向きに回動させると、図５に示すように、スイッチ部４００内に設置された押さえ板２３がタクトスイッチ１０を押さえる。すると、そのタクトスイッチ１０と電気的に連結した駆動部２００の電源供給装置６のモーター４に電気エネルギーが供給されてインペラー５が回転する。
【００２２】
上記のようにモーター４の駆動によりインペラー５が回転すると、駆動部２００内の空気が空気排出孔８に排出され、耳垢収納部１００の内部が減圧されるので、耳の中の耳垢が吸入部１に吸入される。このとき、インペラー５の基台１５には振動を誘発する偏心錘１６が取り付けられているので、インペラー５の回転振動により耳の中に付着した耳垢は簡単に落ちる。従って、吸入部１を通して吸入された耳垢は、吸入路２４に沿って挿脱自在の形で内部に設置された耳垢収納箱２に到達し、その耳垢収納箱２に到達した耳垢は、耳垢収納箱２の一方の側のフィルター部１２に移動する。該フィルター部１２においてその内部に設けられたフィルター固定部１１’に固定されたフィルター１１により空気のみが空気排出孔１８から外部に排出され、耳垢はフィルター１１の上面に引っ掛かる。
【００２３】
耳垢収納箱２の挿脱は、一般的にボールペンなどに使われているスプリングと連携したプッシュプルインターロック機構の作用により、最初に前記耳垢収納箱２を押し込むと耳垢収納箱２の後段に突出して設置された係止突部１４が、駆動部２００の内部に対応して設置された開閉装置１３により施錠されて、耳垢収納箱２が駆動部２００でロックされ、続いて前記耳垢収納箱２を内方に押し込むと係止突部１４が開閉装置１３から開錠され、その結果、耳垢収納箱２が外方に飛び出す。
【００２４】
次に、耳の奥にある耳垢の除去は、駆動部２００の内部空間１８に収納されたゴム材の耳掻き用差込管２２を利用して簡単に解決できる。そのためには、まず、ペンギンの腕のスイッチ部４００を押さえた指を離してモーター４の電源を切る。その後、駆動部２００の前方に簡単に着脱できるように取り付けられたペンギン腹部の覆い１７を外し、内部空間１８に作られた上部の収納孔１９の内部に収納された耳掻き用差込管２２を外に取り出して使用する。
【００２５】
この耳掻き用差込管２２は、一方の側に差込部２０が作られており、小さな外径で長く引き出された管の先端の外周に多数の密閉用突起２１が設置された構造になっており、クチバシの形をした差込部２０を耳垢収納部１００の吸入部１の先端にはめて耳の中に押し入れることにより、深い所の耳垢を容易に除去することができる。このとき、耳掻き用差込管２２の先端の外周に突出して設置された多数の密閉用突起２１により耳の内部が外気から遮断されるため、吸引力が増して吸引効果をより高めることができる。
【００２６】
また、本発明に係る装飾品兼用電動耳掻きは、ペンギンの尾の形をした照明部３００に発光ダイオード９が取り付けられているため、耳掻きの前後に耳穴の中を観察できるし、また虫などが耳の中に入った場合、これを耳の中にあてることにより虫が明かりを追って自ら外へ出るようにして、耳の中の虫を除去できる。この発光ダイオード９の電源は、モーター４の電源スイッチに使われるペンギンの腕のスイッチ部４００と同じ構造になったもう一方の側にあるペンギンの腕のスイッチ部４００に設置されている。
【００２７】
そして、駆動部２００内の耳掻き用差込管２２が収納された上部の収納孔１９の下には、電池３が収納される収納孔１９’が作られているため、電池３を交換するときは、上記の耳掻き用差込管２２を外に取り出すときと同じように、着脱できるように取り付けられたペンギン腹部の覆い１７を駆動部２００から外して簡単に交換できる。
【００２８】
また、本発明の装飾品兼用電動耳掻きは、ペンギンの駆動部の底面に達して支える支持部５００があり、全体の形がペンギンのような動物の形に作られているので、本発明の耳掻きを室内の水平な所に直立になるように安置させれば、装飾用としても利用価値が高い。
【００２９】
【発明の効果】
以上詳述したように、本発明は、動物の形をした外装体の内部にインペラーの回転により耳の中の耳垢を吸入除去させることができる装置を設置することで、耳の中をより安全で清潔に清掃することができるのみならず、装飾品としても愛用できる効果がある。
【図面の簡単な説明】
【図１】本発明に係る装飾品兼用電動耳掻きである組立体の一部分を分解して示す斜視図である。
【図２】前記装飾品兼用電動耳掻きの全体組立断面図である。
【図３】本発明に係る耳掻きのインペラーの斜視図を示す。
【図４】同じく耳垢収納箱の平断面図を示す。
【図５】タクトスイッチと連係したスイッチ部の斜視図を示す。
【符号の説明】
１００  耳垢収納部
２００  駆動部
３００  照明部
４００  スイッチ部
５００  支持部
１      吸入部
２      耳垢収納箱
３      電池
４      モーター
５      インペラー
６      電源供給装置
７      駆動装置
８      空気排出孔
９      発光ダイオード
１０    タクトスイッチ
１１    フィルター
１１’  フィルタ固定部
１２    フィルター部
１３    開閉装置
１４    係止突部
１５    基台
１６    偏心錘
１７    覆い
１８    内部空間
１９    収納孔
１９’  収納孔
２０    差込部
２１    密閉用突起
２２    耳掻き用差込管
２３    押さえ板
２４    吸入路。
【図１】
2004267224.tif 000003
【図２】
2004267224.tif 000004
【図３】
2004267224.tif 000005
【図４】
2004267224.tif 000006
【図５】
2004267224.tif 000007